(57)【要約】【課題】内容物の噴出形態の安定化を図ることができ、かつ、商品のイメージアップ、識別化に有利なノズルカバーを提案する。【解決手段】  噴射ノズル（Ｓ）の少なくとも前面を覆い隠す防護壁（１）を備え、この防護壁（１）に、噴射ノズル（Ｓ）の噴射開口と略同等の形状を有し該噴出開口から噴出された内容物を通過させる開口（１ａ）を設ける。【選択図】図１
2005305207.tif 000002
【特許請求の範囲】
【請求項１】
噴射ノズルの少なくとも前面を覆い隠す防護壁を備え、この防護壁に、噴射ノズルの噴射開口と略同等の形状を有し該噴出開口から噴出された内容物を通過させる開口を設けたことを特徴とするノズルカバー。
【請求項２】
前記噴出ノズルの噴射開口が、内容物を発泡させる造泡筒体の先端開口である請求項１記載のノズルカバー。
【請求項３】
前記防護壁が、噴射ノズルの基部の外側で嵌合して該防護壁を噴射ノズルに固定保持するソケットを有する請求項１又は２記載のノズルカバー。
【発明の詳細な説明】
【技術分野】
【０００１】
本発明は、容器内の内容物を一定のパターンで噴出させるトリガースプレー等の噴射ノズルに装着して好適なノズルカバーに関するものであり、噴射ノズルの先端部分を保護して安定した噴射パターンを実現しようとするものである。
【背景技術】
【０００２】
バス用洗剤やキッチン用洗剤、ガラスクリーナー等に代表される住居用洗剤や黴取り剤等は近年、内容物を泡状に噴出させるタイプの商品が多く開発されてきている。
【０００３】
内容物の泡状化は、噴射ノズルから噴出された内容物が泡生成部となる壁部に衝突することにより乱流をおこし空気と混合されることにより行われており、泡生成部としては、噴射ノズルの先端に組み込まれた造泡筒を通して行われるか噴射ノズル前面に壁部となる障壁やメッシュを配置しているのが一般的手法になっている。また、噴射パターンに関しては該造泡筒等の先端開口を種々の形状に設定することで用途に応じた噴出形態を実現するようにしていた（例えば、特許文献１参照）。
【特許文献１】実公昭６２−４６４５１号公報
【０００４】
ところで、造泡筒のみの構成で泡状化を行う従来の噴射ノズルは造泡筒の周りを周壁によって単に取り囲んだ構造になっていることから、例えば、容器を誤って落下させてしまったり、異物が直接衝突するなど何らかの原因で造泡筒に傷がついた場合に、本来噴射されるべき噴射パターンとは異なるパターンで内容物が噴出されてしまう不具合があった。
【発明の開示】
【発明が解決しようとする課題】
【０００５】
本発明の課題は、安定した泡パターンで内容物を噴出させることができる新規なノズルカバーを提案するところにある。
【課題を解決するための手段】
【０００６】
本発明は、噴射ノズルの少なくとも前面を覆う防護壁を有するノズルカバーであって、
前記防護壁に、噴射ノズルの噴射開口と略同等の形状を有し該噴出開口から噴出された内容物を通過させる開口を設けたことを特徴とするノズルカバーである。
【０００７】
上記の構成になるノズルカバーにおいて、前記噴出ノズルの噴射開口は、内容物を発泡させる造泡筒体の先端開口とする。
【０００８】
また、前記防護壁には、噴射ノズルの基部の外側で嵌合して該防護壁を噴射ノズルに固定保持するソケットを設けるのがよい。
【発明の効果】
【０００９】
噴射ノズルの先端に、造泡筒体の先端開口と略同等の形状を有する防護壁を設けることで該造泡筒体が先端から奥まった位置に配置されることとなり、該像泡筒体を保護できるため、安定したパターンでの噴出が可能となる。
【００１０】
また、防護壁の開口は造泡筒体の先端開口と略同等の形状になるのでどのような形態で噴出されるかが容易に把握できるし、さらに、ノズルカバーに噴射ノズルとは異なる色彩を付与することで商品のイメージをアップ、他の商品との識別化が可能となる。
【発明を実施するための最良の形態】
【００１１】
以下、図面を用いて本発明をより具体的に説明する。
図１は本発明にしたがうノズルカバーの実施の形態を示した外観斜視図であり、図２はトリガースプレーの噴射ノズルの外観斜視図であり、図３は噴射ノズルにノズルカバーを取り付けた状態の外観斜視図である。
【００１２】
図における番号１は噴射ノズルＳの前面を覆う防護壁である。この防護壁１には、噴射ノズルＳの造泡筒体Ｓ１の先端開口と略同等の形状を有する開口１ａが設けられていて、ここを通して泡状になった内容物を外界へ向けて噴出させる。
【００１３】
また、２は防護壁１に一体成形されたソケットである。このソケット２は噴射ノズルＳの基部Ｓ２の外側で嵌合して防護壁１を噴射ノズルＳに固定保持するもので、その側壁には空気導入用の開孔２ａが設けられている。なお、ノズルカバーの噴射ノズルＳへの固定保持方法については、夫々に係合部を設けて固定する方法、あるいはノズルカバーへの噴射ノズルの圧入による締まり嵌め、さらには超音波接着等の各種方法が選択可能である。
【００１４】
図４はノズルカバーを有しないトリガースプレーの断面を示したものであり、図中３はボディ、４はボディ３に揺動可能に支持される操作レバー、５はシリンダーとピストンからなるポンプ機構、６は容器の口部にねじ止めされトリガースプレーのボディを固定するベースキャップ、そして７は容器内の内容物を吸引する吸引管である。
【００１５】
本発明にしたがうノズルカバーは防護壁１の後方に当接するか又は間隔を隔てて造泡筒体Ｓ１の先端開口が位置するため、落下や異物の衝突によって造泡筒体Ｓが傷がついたり破損するのを回避することができる。なお、ノズルカバーは、図１から図３に図示したように噴射ノズルＳに被嵌するタイプの構成に限られるものではなく、図示はしないが噴射ノズルＳの前端部に防護壁１が枢着又はヒンジ結合されるタイプのノズルカバーを採用することも可能である。
【００１６】
防護壁１の開口１ａは、トラック状のものを例として示したが、円形や楕円、偏平矩形状など、造泡筒体Ｓ１の先端開口の形状に合わせて種々変更できるもので、トラック状のものに限定されない。また、防護壁１の開口１ａにさらに障壁となる部位を一体成形したりメッシュを配したりすることも可能であり、その形態は、使用形態や内容物に合わせ種々変更が可能である。
【００１７】
本発明にしたがうノズルカバーは、噴射ノズルとは異なる色彩を付与して色分けすることで商品のイメージをアップすることが可能であり、また、他の商品との識別化が容易になる利点を有する。
【産業上の利用可能性】
【００１８】
噴射パターンを安定化させることができるだけでなく、商品のイメージアップや他の商品との識別が容易なノズルカバーが提供できる。
【図面の簡単な説明】
【００１９】
【図１】本発明にしたがうノズルカバーの実施の形態を示した外観斜視図である。
【図２】トリガースプレーの噴射ノズルの外観斜視図である。
【図３】噴射ノズルにノズルカバーを取り付けた状態の外観斜視図である。
【図４】トリガースプレー（ノズルカバーを有しない）の断面を示した図である。
【符号の説明】
【００２０】
１  防護壁
１ａ  開口
２  ソケット
２ａ  開孔
３  ボディ
４  操作レバー
５  ポンプ機構
６  ベースキャップ
７  吸引管
Ｓ  噴射ノズル
Ｓ１  造泡筒体
Ｓ２  基部
【図１】
2005305207.tif 000003
【図２】
2005305207.tif 000004
【図３】
2005305207.tif 000005
【図４】
2005305207.tif 000006